(57)【要約】【課題】  マンション等の集合住宅や都会の住宅密集地やオフィス街において、隣家や近隣のオフィスで無線ＬＡＮシステムを使用している場合であっても、これらの他の無線ＬＡＮシステムに接続されることなく、安全に所望の機器を所望の無線ＬＡＮシステムに接続できるようにする。【解決手段】  周辺装置の固有情報に基づいて無線通信用の暫定的な第１の設定情報をそれぞれ設定する工程と、コンピュータにおいて、該コンピュータに前記第１の設定情報が設定される前に設定されていた所望の無線通信に関する第２の設定情報を、前記第１の設定情報を用いて前記周辺装置に通知する工程と、前記周辺装置において、前記第２の設定情報を受信し、前記第１の設定情報から該第２の設定情報へと切り換える工程とを有する。【選択図】  図１
2005192202.tif 000002
【特許請求の範囲】
【請求項１】
周辺装置が無線通信するための設定を、コンピュータから実行する方法において、
コンピュータと周辺装置との双方において、前記周辺装置の固有情報に基づいて無線通信用の暫定的な第１の設定情報をそれぞれ設定する工程と、
前記コンピュータにおいて、該コンピュータに前記第１の設定情報が設定される前に設定されていた所望の無線通信に関する第２の設定情報を、前記第１の設定情報を用いて、前記周辺装置に通知する工程と、
前記周辺装置において、前記第２の設定情報を受信し、前記第１の設定情報から該第２の設定情報へと切り換える工程と
を有することを特徴とする設定方法。
【請求項２】
請求項１において、
前記設定する工程は、前記周辺装置の固有情報に基づいて、少なくとも無線通信用のＩＤ情報、暗号鍵、または、アドレス情報を算出する工程を含むことを特徴とする設定方法。
【請求項３】
請求項１において、
前記通知する工程は、少なくとも無線通信用のＩＤ情報または暗号鍵を通知する工程が含まれることを特徴とする設定方法。
【請求項４】
請求項１において、
前記コンピュータは、前記周辺装置のドライバソフトをインストールする際に入力された前記固有情報に基づいて、前記設定する工程を実行することを特徴とする設定方法。
【請求項５】
請求項４において、
前記設定する工程を実行する前に、前記コンピュータにおいて、該コンピュータにそれまで設定されていた無線通信用の前記第２の設定情報を該コンピュータのメモリに記憶する工程をさらに含み、
前記通知する工程の前に、前記コンピュータにおいて、前記メモリから前記第２の設定情報を読み出す工程がさらに含まれることを特徴とする設定方法。
【請求項６】
請求項５において、
前記切換の工程には、前記コンピュータにおいて、前記第１の設定情報を、前記メモリに記憶されている前記第２の設定情報に戻す工程が含まれていることを特徴とする設定方法。
【請求項７】
請求項４において、
前記ドライバソフトのインストールの際に、前記固有情報が入力されない場合は、前記周辺装置の無線装置に関する一連の前記工程をスキップするように制御する工程を含むことを特徴とする設定方法。
【請求項８】
請求項１において、
前記周辺装置は、該周辺装置に無線装置が接続されたときに、または、該周辺装置に前記無線ＬＡＮ装置が接続された後に初めて電源が投入されたときに、前記設定する工程を実行することを特徴とする設定方法。
【請求項９】
請求項１において、
前記切換する工程の後に、前記第２の設定情報を、前記第１の設定情報に戻す工程を含むことを特徴とする設定方法。
【請求項１０】
無線装置を設定する方法において、
無線装置に接続する機器の固有情報に基づいて、無線通信用の第１の設定情報を設定する工程と、
設定された前記第１の設定情報により他の機器と無線通信する工程と、
前記第１の設定情報を、前記他の機器から受信した所望の無線通信に関する第２の設定情報へ切り換える工程と
を含むことを特徴とする設定方法。
【請求項１１】
ある機器から他の機器が無線通信するための無線パラメータを設定する方法において、
前記他の機器のドライバソフトをインストールする際に入力された前記他の機器の固有情報に基づいて、無線通信用の暫定的な第１の設定情報を設定する工程と、
設定された前記第１の設定情報を用いて、所望の無線通信に関する第２の設定情報を前記他の機器に送信する工程と、
送信した前記第２の設定情報へ、前記第１の設定情報を切り換える工程と、
を含むことを特徴とする設定方法。
【請求項１２】
無線装置を接続または搭載する周辺装置であって、
前記周辺装置の固有情報に基づいて、無線通信用の暫定的な第１の設定情報を設定するコンポーネントと、
設定された前記第１の設定情報に基づく無線通信により、前記周辺装置への接続を希望する情報処理装置から、所望の無線通信に関する第２の設定情報を受信するコンポーネントと、
前記第１の設定情報を、受信した前記第２の設定情報へ切り換えるコンポーネントと、
を含むことを特徴とする周辺装置。
【請求項１３】
周辺装置に接続または搭載される無線装置を設定する情報処理装置であって、
前記周辺装置のドライバソフトをインストールする際に入力された該周辺装置の固有情報に基づいて、無線通信用の暫定的な第１の設定情報を設定するコンポーネントと、
設定された前記第１の設定情報に基づく無線通信により、所望の無線通信に関する第２の設定情報を前記周辺装置に送信するコンポーネントと、
送信した前記第２の設定情報へ、前記第１の設定情報を切り換えるコンポーネントと、
を含むことを特徴とする情報処理装置。
【請求項１４】
無線装置を接続または搭載する周辺装置と、該周辺装置を利用する情報処理装置とを含む無線通信システムであって、
前記周辺装置は、
前記周辺装置の固有情報に基づいて、無線通信用の暫定的な第１の設定情報を設定するコンポーネントと、
設定された前記第１の設定情報に基づく無線通信により、前記周辺装置への接続を希望する前記情報処理装置から、所望の無線通信に関する第２の設定情報を受信するコンポーネントと、
前記第１の設定情報から、受信した前記第２の設定情報へ切り換えるコンポーネントと、
を含み、
前記情報処理装置は、
前記周辺装置の固有情報に基づいて、前記第１の設定情報を設定するコンポーネントと、
設定された前記第１の設定情報に基づく無線通信により、前記第２の設定情報を、前記周辺装置に送信するコンポーネントと、
送信した前記第２の設定情報へ、前記第１の設定情報から切り換えるコンポーネントと、
を含むことを特徴とする無線通信システム。
【請求項１５】
周辺装置のドライバイソフトを情報処理装置にインストールするコンピュータプログラムを記憶した記憶媒体であって、
前記コンピュータプログラムは、
前記周辺装置のドライバソフトをインストールする際に入力された前記周辺装置の固有情報に基づいて、無線通信用の暫定的な第１の設定情報を設定する工程と、
前記設定された前記第１の設定情報に基づく無線通信により、所望の無線通信に関する第２の設定情報を前記周辺装置に送信する工程と、
前記第１の設定情報から前記第２の設定情報へと切り換える工程と、
をコンピュータに実行させるプログラムであることを特徴とする記憶媒体。
【発明の詳細な説明】
【技術分野】
【０００１】
本発明は、無線通信のための設定方法、無線通信を行なう周辺装置および情報処理装置に関する。
【背景技術】
【０００２】
近年、無線ＬＡＮ装置を用いて接続されるプリンタ等のコンピュータ周辺装置が普及しつつある。無線ＬＡＮの方式としては、ＩＥＥＥ８０２．１１規格、ブルートゥース規格など種々のものが存在するが、とりわけ、ＩＥＥＥ８０２．１１規格の無線ＬＡＮ方式は、世界的な標準規格になりつつある。
【０００３】
ＩＥＥＥ８０２．１１ｂ規格の無線ＬＡＮ装置を搭載したパソコンが普及するに伴い、プリンタ等の周辺装置も、ＩＥＥＥ８０２．１１ｂ規格の無線ＬＡＮ装置を搭載するものが増えつつある。
【０００４】
ＩＥＥＥ８０２．１１ｂの無線ＬＡＮ装置は、インフラストラクチャモードと呼ばれるスター型接続モードと、アドホックモードと呼ばれる１対１接続モードとを備え、いずれかのモードを使用して他のコンピュータ等と通信が可能である。インフラストラクチャモードでは、スター型接続の中心となるアクセスポイントのＭＡＣアドレスが、通常、初期グループＩＤとして用いられる。
【０００５】
また、アドホックモードでは、本来、ＳＳＩＤを用いて通信することが規格上定められているが、実際には、無線ＬＡＮ装置のＳＳＩＤではなく、ＩＰアドレスを用いて通信する場合が多い。無線ＬＡＮ装置のＩＰアドレスの初期値は、「０：０：０：０」等に設定されているので、他方の無線ＬＡＮ装置のＩＰアドレスを「０：０：０：１」等に設定する。そして、無線ＬＡＮ装置は、それぞれのＩＰアドレスを探して通信する。
【０００６】
ここで、インフラストラクチャモードの初期ＩＤとして用いられる「ＭＡＣアドレス」は、機器に固有の番号であるので、任意の部屋に設置されている無線ＬＡＮ装置のＩＤが、隣家や近隣のオフィスに設定されている無線ＬＡＮ装置のＩＤと重なることはない。したがって、任意の部屋に設置されている無線ＬＡＮ装置が、隣家や近隣のオフィスのパソコンや周辺装置と接続されることはない。
【０００７】
また、ＩＥＥＥ８０２．１１ｂの無線ＬＡＮ装置は、日本では、周波数帯が重ならないチャネルとして、最大で４チャネルを確保できる。この４チャネルのうち、通常、他者が使用しているチャネルではなく、かつ、なるべく妨害波が少ないチャネルを使用する。
【０００８】
さらに、複数のアクセスポイントに、ステーションを割り振る目的で、シリアル番号から周波数チャネルを決めているものもある（たとえば、特許文献１参照）。
【特許文献１】特開２０００−０５９３８８号公報
【発明の開示】
【発明が解決しようとする課題】
【０００９】
無線ＬＡＮを介してコンピュータに周辺装置を接続する場合の問題として、セキュリティに関する問題と、周辺装置のユーザインタフェースに関する問題とがある。
【００１０】
無線ＬＡＮカードやアクセスポイントの初期グループＩＤは、「Ａｎｙｏｎｅ」のように、単純な初期値になっている場合がある。さらに、暗号鍵が設定されていないことも多い。したがって、隣家や近隣のオフィスにおいて新たに追加された無線ＬＡＮ装置が、自家の無線ＬＡＮに接続されることがある。その場合、双方の無線ＬＡＮから、相互にデータがみえるという弊害がある。
【００１１】
インフラストラクチャモードでは、ある無線ＬＡＮ装置が、隣家や近隣のオフィスに設置されたアクセスポイントが出すビーコンを受信することができ、かつ、当該アクセスポイントに暗号鍵が設定されていなければ、アクセスポイントが出すビーコンを受信することによって、グループＩＤを把握できるので、盗聴が容易である。
【００１２】
また、アドホックモードでは、初期値のＩＰアドレスが共通になっている場合が多く、初期値で通信することは、セキュリティ上、大きな問題となる。
【００１３】
さらに、ＩＥＥＥ８０２．１１ｂの無線ＬＡＮ装置の場合、選べるチャネル数が少ないので、ある無線ＬＡＮ装置と近隣の他の無線ＬＡＮ装置との間で、選ばれた周波数チャネルが重複する可能性が高い。そのため、シリアル番号から周波数チャネルを決めるだけでは、ＩＤや初期設定のＩＰアドレスが同一である場合、隣家や近隣のオフィスのネットワークに接続される可能性が高い。
【００１４】
特に、プリンタのようなコンピュータの周辺装置においては、設定に使用可能なユーザインタフェースがプアであることが多い。そのため、本格的に無線通信する前に、単純な初期設定のＩＤやＩＰアドレスを用いてコンピュータと無線通信し、リッチなユーザインタフェースを備えるコンピュータから周辺装置に対して新たなＩＤやＩＰアドレスを設定する。あるいは、周辺装置にコンピュータを有線接続し、コンピュータ上で初期設定用のプログラムを実行することで、当該コンピュータから周辺装置に対してＩＤやＩＰアドレスを設定することになる。
【００１５】
しかしながら、前者の無線通信回線を介した設定方法は、セキュリティの問題が生じるおそれがあり、後者の有線回線を介した設定方法は、設定作業が非常に煩雑になるという問題が生じる。
【００１６】
本発明は、プリンタのようにユーザインタフェースがプアな周辺装置においても、無線ＬＡＮ装置の通信設定を容易にすることに貢献する。また、本発明の他の観点によれば、マンション等の集合住宅や都会の住宅密集地やオフィス街において、隣家や近隣のオフィスで無線ＬＡＮシステムを使用している場合であっても、これらの他の無線ＬＡＮシステムに接続されることなく、安全に所望の機器を所望の無線ＬＡＮシステムに接続できるようにする。
【課題を解決するための手段】
【００１７】
本発明は、周辺装置が無線通信するための設定を、コンピュータから実行する方法において、コンピュータと周辺装置との双方において、前記周辺装置の固有情報に基づいて無線通信用の暫定的な第１の設定情報をそれぞれ設定する工程と、前記コンピュータにおいて、該コンピュータに前記第１の設定情報が設定される前に設定されていた所望の無線通信に関する第２の設定情報を、前記第１の設定情報を用いて前記周辺装置に通知する工程と、前記周辺装置において、前記第２の設定情報を受信し、前記第１の設定情報から該第２の設定情報へと切り換える工程とを有することを特徴とする設定方法である。
【００１８】
また、本発明は、無線装置を設定する方法において、無線装置に接続する機器の固有情報に基づいて、無線通信用の第１の設定情報を設定する工程と、設定された前記第１の設定情報により他の機器と無線通信する工程と、前記第１の設定情報を、前記他の機器から受信した所望の無線通信に関する第２の設定情報へ切り換える工程とを含むことを特徴とする設定方法である。
【００１９】
さらに、本発明は、ある機器から他の機器が無線通信するための無線パラメータを設定する方法において、前記他の機器のドライバソフトをインストールする際に入力された前記他の機器の固有情報に基づいて、無線通信用の暫定的な第１の設定情報を設定する工程と、設定された前記第１の設定情報を用いて、所望の無線通信に関する第２の設定情報を前記他の機器に送信する工程と、送信した前記第２の設定情報へ、前記第１の設定情報を、切り換える工程とを含むことを特徴とする設定方法である。
【００２０】
そして、本発明は、無線装置を接続または搭載する周辺装置であって、前記周辺装置の固有情報に基づいて、無線通信用の暫定的な第１の設定情報を設定するコンポーネントと、設定された前記第１の設定情報に基づく無線通信により、前記周辺装置への接続を希望する情報処理装置から、所望の無線通信に関する第２の設定情報を受信するコンポーネントと、前記第１の設定情報を、受信した前記第２の設定情報へ切り換えるコンポーネントとを含むことを特徴とする周辺装置である。
【００２１】
また、本発明は、周辺装置に接続または搭載される無線装置を設定する情報処理装置であって、前記周辺装置のドライバソフトをインストールする際に入力された該周辺装置の固有情報に基づいて、無線通信用の暫定的な第１の設定情報を設定するコンポーネントと、設定された前記第１の設定情報に基づく無線通信により、所望の無線通信に関する第２の設定情報を前記周辺装置に送信するコンポーネントと、送信した前記第２の設定情報へ、前記第１の設定情報から切り換えるコンポーネントとを含むことを特徴とする情報処理装置である。
【００２２】
さらに、無線装置を接続または搭載する周辺装置と、該周辺装置を利用する情報処理装置とを含む無線通信システムであって、前記周辺装置は、前記周辺装置の固有情報に基づいて、無線通信用の暫定的な第１の設定情報を設定するコンポーネントと、設定された前記第１の設定情報に基づく無線通信により、前記周辺装置への接続を希望する前記情報処理装置から、所望の無線通信に関する第２の設定情報を受信するコンポーネントと、前記第１の設定情報から、受信した前記第２の設定情報へ切り換えるコンポーネントとを含み、前記情報処理装置は、前記周辺装置の固有情報に基づいて、前記第１の設定情報を設定するコンポーネントと、設定された前記第１の設定情報に基づく無線通信により前記第２の設定情報を、前記周辺装置に送信するコンポーネントと、送信した前記第２の設定情報へ、前記第１の設定情報から切り換えるコンポーネントとを含むことを特徴とする無線通信システムである。
【００２３】
そして、本発明は、周辺装置のドライバイソフトを情報処理装置にインストールするコンピュータプログラムを記憶した記憶媒体であって、前記コンピュータプログラムには、前記周辺装置のドライバソフトをインストールする際に入力された前記周辺装置の固有情報に基づいて、無線通信用の暫定的な第１の設定情報を設定する工程と、前記設定された前記第１の設定情報に基づく無線通信により、所望の無線通信に関する第２の設定情報を前記周辺装置に送信する工程と、前記第１の設定情報から前記第２の設定情報へと切り換える工程とをコンピュータに実行させるプログラムであることを特徴とする記憶媒体である。
【発明の効果】
【００２４】
本発明によれば、プアなユーザインタフェースを備える周辺装置にも、無線通信に関する設定情報を容易に登録できるという効果を奏する。
【００２５】
また、本発明によれば、設定の際には、周辺装置の固有情報を起源とする暫定的な無線設定情報を使用するので、隣家や近隣のオフィスに設置されている無線システムに接続される可能性を低減でき、したがって、安全に所望の周辺装置を所望の無線システムに接続できるという効果を奏する。
【発明を実施するための最良の形態】
【００２６】
以下に説明する実施例においては、ＩＤ、暗号鍵が設定され、複数のコンピュータが無線通信している無線ＬＡＮ環境において、新たに接続される周辺装置の無線ＬＡＮ装置の設定方法において、前記周辺装置に接続しようとするコンピュータに、前記周辺装置のドライバをインストールする際に、前記周辺装置の固有番号を前記コンピュータに入力すると、前記コンピュータの無線ＬＡＮ装置が使用していた通信の諸設定が、自動的に周辺装置の無線ＬＡＮ装置の通信設定として設定される。
【００２７】
また、前記周辺装置は、前記周辺装置の無線ＬＡＮ装置の初期状態の暗号鍵、ＩＤ、またはＩＰアドレスを、前記周辺装置の固有番号に基づいて算出し、算出した情報を前記周辺装置の無線ＬＡＮ装置の一時設定として、メモリ等に記憶する。前記コンピュータは、前記周辺装置のドライバソフトを前記コンピュータにインストールする際に、入力される前記周辺装置の固有番号を受け付け、それまで前記コンピュータの無線ＬＡＮ装置が使用していたＩＤ、暗号鍵を一旦、前記コンピュータのメモリにバックアップし、前記周辺装置の固有番号に、前記周辺装置と同様の算出方法を適用して、ＩＤ、またはＩＰアドレスと同じ暗号鍵を算出し、前記コンピュータの無線ＬＡＮ装置用に設定する。そして、前記コンピュータが前記ドライバをインストールする前に使用していたオリジナルのＩＤ、暗号鍵を、前記周辺装置へ無線送信し、その後に、前記ドライバをインストールする前に使用していたオリジナルＩＤ、暗号鍵に戻す。前記周辺装置は、前記コンピュータから送信される前記オリジナルのＩＤ、暗号鍵を受信すると、前記オリジナルのＩＤ、暗号鍵を、前記周辺装置の無線ＬＡＮ装置用に設定する。
【００２８】
これによって、コンピュータと周辺装置とは、周辺装置のドライバをコンピュータにインストールをするだけで、固有のグループＩＤ、暗号鍵がセットされるので、プリンタのようにユーザインタフェースが乏しいコンピュータの周辺装置においても、非常に簡単に無線ＬＡＮ装置の通信設定を自動化できる。また、隣家や近隣のオフィスのネットワークと接続される可能性を低減できる。そして、従来よりも高い安全性で、所望のコンピュータへ周辺装置を接続できる。
【００２９】
また、前記コンピュータと同じ無線グループのコンピュータにおいて、周辺装置のドライバをインストールする際に、前記周辺装置の固有番号を入力しない場合、前記コンピュータの無線ＬＡＮ装置の設定を変えないように制御する。すなわち、上述の周辺装置への無線ＬＡＮ設定情報のコピー処理をスキップし、通常どおり、周辺装置のドライバをインストールする。
【００３０】
このようにすることにより、周辺装置が、ある無線グループに設定されている場合、同一の無線グループに属する他のコンピュータからは、当該周辺装置の無線ＬＡＮ装置を設定しなおす必要はない。よって、他のコンピュータは、有線接続されたネットワークプリンタと同様に当該周辺装置を検索することで、当該周辺装置についてのドライバのインストールなどの接続設定が可能になる。
【００３１】
また、周辺装置で、無線ＬＡＮカードなどの無線ＬＡＮ装置を接続することによって、無線ＬＡＮによる通信が可能になるコンピュータ周辺装置において、無線ＬＡＮカードを前記周辺装置に接続したときに、または無線ＬＡＮカードを前記周辺装置に接続して初めて電源を投入したときに、前記周辺装置の固有番号に基づいて計算された暗号鍵、ＩＤまたはＩＰアドレスが、前記周辺装置の無線ＬＡＮカード用に設定される。
【実施例１】
【００３２】
図１は、本発明の実施例１である自家の無線ＬＡＮシステム１００、隣家の無線ＬＡＮシステム２００を示すブロック図である。
【００３３】
自家の無線ＬＡＮシステム１００は、自家コンピュータＰＣ１、ＰＣ２と、自家のプリンタＰｒ１と、自家のアクセスポイントＡＰ１とを有する。
【００３４】
隣家の無線ＬＡＮシステム２００は、隣家のコンピュータＰＣ３と、隣家のプリンタＰｒ２とを有する。
【００３５】
コンピュータＰＣ１〜ＰＣ３、プリンタＰｒ１、Ｐｒ２は、それぞれ、図示しない無線ＬＡＮ装置を具備している。コンピュータＰＣ１、ＰＣ２とアクセスポイントＡＰ１とは、ＩＥＥＥ８０２．１１のインフラストラクチャモードで、ＩＤとして「ＩＤ１」を用い、暗号鍵として「ＫＥＹ１」を用いて、自家の無線ネットワークを形成している。
【００３６】
また、隣家のコンピュータＰＣ３と隣家のプリンタＰｒ２とは、ＩＥＥＥ８０２．１１のアドホックモードで無線通信できるように設定されている。プリンタＰｒ２のＩＰアドレスとして、初期値の「０：０：０：０」が用いられている。コンピュータＰＣ３のＩＰアドレスとして、「０：０：０：１」が用いられている。なお、暗号鍵は設定されていないとする。
【００３７】
次に、実施例１の動作について説明する。
【００３８】
図２は、実施例１の動作を示すフローチャートである。
【００３９】
上述したように、コンピュータＰＣ１、ＰＣ２とアクセスポイントＡＰ１とは、インフラストラクチャモードによる無線通信回線を確立し（Ｓ１）、ＩＤとして「ＩＤ１」を用い、暗号鍵として「ＫＥＹ１」を用いて自家の無線ネットワークを形成している（Ｓ２）。
【００４０】
また、コンピュータＰＣ３とプリンタＰｒ２は、プリンタＰｒ２のＩＰアドレスとして「０：０：０：０」を用い、コンピュータＰＣ３のＩＰアドレスとして「０：０：０：１」を用いて、アドホックモードになっている（Ｓ４１、Ｓ４２、Ｓ５１）。
【００４１】
プリンタＰｒ１に無線ＬＡＮ装置が装着された後に、プリンタの電源が初めて投入されると、プリンタＰｒ１は、プリンタの製造番号に基づいてＩＰアドレス「ＩＰｐ１」、暗号鍵「ＫＥＹｐ１」を算出し、無線ＬＡＮ装置に初期値として設定されていた（Ｓ３１、Ｓ３２）ＩＰアドレス「０：０：０：０」を、算出したＩＰアドレス「ＩＰｐ１」、暗号鍵「ＫＥＹｐ１」に設定し（Ｓ３４）、アドホックモードで待機する（Ｓ３３）。
【００４２】
一方、コンピュータＰＣ１において、プリンタＰｒ１のドライバをインストールする際に、プリンタＰｒ１の製造番号を、ユーザが入力する（Ｓ２１）。プリンタドライバは、入力されたプリンタＰｒ１の製造番号に基づいて、プリンタと同様のアルゴリズムで、プリンタＰｒ１の無線ＬＡＮ装置のＩＰアドレス「ＩＰｐ１」、暗号鍵「ＫＥＹｐ１」を、コンピュータに計算させる。さらに、プリンタドライバは、コンピュータＰＣ１の無線ＬＡＮ装置の通信用の暗号鍵を「ＫＥＹｐ１」に設定するとともに、通信モードをアドホックモードに設定する（Ｓ２２、Ｓ２３）。このときに、今まで使用していたＩＤ「ＩＤ１」、暗号鍵「ＫＥＹ１」を、コンピュータのメモリに記憶する。このようにして、コンピュータにおいて、オリジナルの無線ＬＡＮ設定情報（例：ＩＤと暗号鍵など）がバックアップされる。
【００４３】
さらに、コンピュータＰＣ１は、プリンタＰｒ１の無線ＬＡＮ装置のＩＰアドレス「ＩＰｐ１」が分かっているので、アドホックモードによって、プリンタＰｒ１と無線通信し、コンピュータのメモリに記憶されているＩＤ「ＩＤ１」、暗号鍵「ＫＥＹ１」を、プリンタＰｒ１に伝送する（Ｓ２４ａ）。
【００４４】
プリンタＰｒ１に、「ＩＤ１」、「ＫＥＹ１」が正常に伝送され、プリンタＰｒ１から信号（Ａｃｋ）が返信されてきたら（Ｓ３５）、コンピュータＰＣ１の無線ＬＡＮ装置の通信用ＩＤと暗号鍵とを、プリンタＰｒ１の設定前の「ＩＤ１」、「ＫＥＹ１」に戻し、インフラストラクチャモード（Ｓ２４、Ｓ２５）になる。
【００４５】
プリンタＰｒ１においては、コンピュータＰＣ１から、無線ＬＡＮ装置の通信用ＩＤである「ＩＤ１」、暗号鍵である「ＫＥＹ１」が伝送されると、通信が正常に行われたことを示す信号（Ａｃｋ）をＰＣ１に返信し（Ｓ３５）、その後に、コンピュータＰＣ１から受け取った「ＩＤ１」、「ＫＥＹ１」を、無線ＬＡＮ装置の通信用のＩＤ、暗号鍵として設定し、インフラストラクチャモードになる（Ｓ３６、Ｓ３７）。そして、プリンタＰｒ１は、アクセスポイントＡＰ１と有線接続されているＤＨＣＰサーバ、または、アクセスポイントが有するＤＨＣＰサーバ機能から、新しいＩＰアドレスを受け、このＩＰアドレスを自動設定する（Ｓ３８）。コンピュータＰＣ１は、プリンタのＩＰアドレスを変更した後に、プリンタの再検出を行い、接続する（Ｓ２６、Ｓ３９）。
【００４６】
自家のもう１台のコンピュータＰＣ２において、前記の自動設定後に、シリアル番号を入力しないで、プリンタＰｒ１のプリンタドライバをインストールする（Ｓ１１）。プリンタＰｒ１のプリンタドライバは、シリアル番号を入力しなければ、無線ＬＡＮ装置の設定をしないように設定されている。
【００４７】
プリンタＰＣ２にプリンタドライバを入力すると、有線接続の場合と同様に、プリンタの自動検索をする（Ｓ１２）ので、自動検索されたプリンタＰｒ１を設定すれば、プリンタＰｒ１と接続することができる（Ｓ４０）。
【００４８】
ここで、プリンタＰｒ１に接続されている無線ＬＡＮカードのプリンタＰｒ１に接続する前の初期設定のＩＰアドレスは、図２に示すように、「０：０：０：０」になっている。実施例１のように、プリンタＰｒ１に接続した後に、直ぐにＩＰアドレスが、「０：０：０：０」から「ＩＰｐ１」に変化しないと、隣家のコンピュータＰＣ３の無線ＬＡＮ装置の電波が、自家のプリンタＰｒ１の無線ＬＡＮ装置に届き、この場合、隣家のコンピュータＰＣ３が、プリンタＰｒ２と接続しようと試みると、プリンタＰｒ１にも接続され、プリンタ出力されるという問題がある。
【００４９】
この問題から、無線ＬＡＮカードをプリンタに接続して用いる場合には、無線ＬＡＮカードを接続した直後、または無線ＬＡＮカードを接続し、プリンタの電源を入れた直後に、無線ＬＡＮカードのＩＰアドレスの設定を変え、このＩＰアドレスの変更と、暗号鍵の設定とが終わるまで、無線通信ができないようになっていることが望ましい。
【００５０】
また、ドライバソフトをインストールしたコンピュータからプリンタＰｒ１へのＩＤ、暗号鍵の伝送において、通信エラーが生じているにも関わらず、エラー検出できずに、Ａｃｋをコンピュータに返信した場合、プリンタＰｒ１の設定が間違ったものになる可能性がある。
【００５１】
このように、通信プロトコルによるエラー訂正能力を超えた通信エラーが生じた場合、通常は、上位プロトコルによるエラー検出等で、再送要求されるが、前記実施例の場合、プリンタの設定を行っているコンピュータは、プリンタからＡｃｋが返送されてくると、元の通信諸設定に戻るので、再送要求を受信できない可能性がある。
【００５２】
このような場合を想定して、コンピュータの無線ＬＡＮ装置の設定は、プリンタの無線ＬＡＮ装置からのＡｃｋを受信し、再送要求が一定時間来ないことを確認した後に、元の通信諸設定に戻すようにしてもよい。
【００５３】
前記のようなプリンタの無線ＬＡＮ装置の設定に、通信エラーが生じ、無線ＬＡＮ装置に、誤ったＩＤ、暗号鍵が設定されると、結果として、コンピュータからプリンタが検出できない状態になる。このようなときに、プリンタにおいて、プリンタに接続されている無線ＬＡＮ装置用の通信諸設定を、プリンタのシリアル番号に基づいて計算されるＩＰアドレス、暗号鍵に戻し、アドホックモードで待機するためのスイッチコンポーネントが必要である。このスイッチとして、機械的なリセットボタンを使用するようにしてもよく、また、無線ＬＡＮカードの抜き差しを実行するようにしてもよい。
【００５４】
また、ネットワークの変更等の場合に、無線通信で初期化するコマンドによって、コンピュータから、プリンタに接続されている無線ＬＡＮ装置の通信諸設定を、プリンタのシリアル番号に基づいて計算されるＩＰアドレス、暗号鍵に戻し、アドホックモードで待機するようにしてもよい。
【００５５】
ここで、コンピュータとプリンタとを互いに接続する周波数チャネルとして、それまで使われていた無線通信のチャネルを用いる。ただし、プリンタの無線ＬＡＮシステムを設定するチャネルは、どのチャネルでもよく、もし、プリンタの無線ＬＡＮシステムを設定するチャネルと、それまでコンピュータが使用していたチャネルとが、互いに異なる場合、チャネル情報をも伝達し、プリンタ側の無線ＬＡＮ装置に設定させる。
【００５６】
また、プリンタの無線ＬＡＮシステムを設定するチャネルは、今までコンピュータが使用していたチャネル以外の空いているチャネルにし、なるべく他の通信と重ならないようにしてもよい。
【００５７】
さらに、プリンタドライバは、ＣＤ−ＲＯＭ等の記憶メディアからのインストールでも、ネットワークからのインストールでも、同様に実行することができる。
【００５８】
本実施例では、コンピュータの周辺装置としてプリンタを用いているが、ディジタルカメラやスキャナ等、他のコンピュータの周辺装置を、前記コンピュータの周辺装置として使用するようにしてもよい。
【実施例２】
【００５９】
次に、本発明の第２の実施例について説明する。
【００６０】
図３は、本発明の実施例２である自家の無線ＬＡＮシステム３００、隣家の無線ＬＡＮシステム４００を示すブロック図である。
【００６１】
コンピュータＰＣ１、ＰＣ２は、自家コンピュータであり、コンピュータＰＣ３は、隣家のコンピュータであり、プリンタＰｒ１は、自家のプリンタであり、プリンタＰｒ２は、隣家のプリンタである。
【００６２】
コンピュータＰＣ１〜ＰＣ３とプリンタＰｒ１、Ｐｒ２とは、それぞれ、無線ＬＡＮ装置を具備し、コンピュータＰＣ１、ＰＣ２は、ＩＥＥＥ８０２．１１のアドホックモードで自家の無線ネットワークを形成している。
【００６３】
この場合、この自家の無線ネットワークにおいて、コンピュータＰＣ１は、ＩＰアドレスが、「ＩＰｃ１」であり、コンピュータＰＣ２のＩＰアドレスが、「ＩＰｃ２」であり、プリンタＰｒ１のＩＰアドレスが、「ＩＰｐ１」であり、暗号鍵として、「ＫＥＹ」を用いて通信している。
【００６４】
また、隣家のコンピュータＰＣ３と隣家のプリンタＰｒ２とは、ともに、ＩＥＥＥ８０２．１１のアドホックモードで無線通信できるように設定され、プリンタＰｒ２のＩＰアドレスは、初期値の「０：０：０：０」であり、コンピュータＰＣ３のＩＰアドレスは、「０：０：０：１」が用いられ、暗号鍵は設定されていない。
【００６５】
次に、実施例２の動作について説明する。
【００６６】
図４は、実施例２の動作を示すフローチャートである。
【００６７】
コンピュータＰＣ１は、ＩＰアドレス「ＩＰｃ１」、暗号鍵「ＫＥＹ１」に設定し（Ｓ１２１）、コンピュータＰＣ２は、ＩＰアドレス「ＩＰｃ２」、暗号鍵「ＫＥＹ」に設定し（Ｓ１１２）、アドホックモード（Ｓ１１１）で待機している。
【００６８】
プリンタＰｒ１に無線ＬＡＮ装置が装着された後に（Ｓ１３２）、初めてのプリンタの電源が投入されると、プリンタＰｒ１はプリンタの製造番号に基づいてＩＰアドレス「ＩＰｐ１」、暗号鍵「ＫＥＹｐ１」を算出し（Ｓ１３４）、無線ＬＡＮ装置に初期値として設定されていたＩＰアドレス「０：０：０：０」（Ｓ１３１）を、算出したＩＰアドレス「ＩＰｐ１」、暗号鍵「ＫＥＹｐ１」に設定し、アドホックモードで待機する（Ｓ１３３）。
【００６９】
一方、コンピュータＰＣ１においては、プリンタＰｒ１のドライバをインストールする際に（Ｓ１２２）、プリンタＰｒ１の製造番号をユーザが入力する。プリンタドライバは、入力されたプリンタＰｒ１の製造番号に基づいて、プリンタＰｒ１と同様のアルゴリズムによって、プリンタＰｒ１との無線ＬＡＮ装置用のＩＰアドレス「ＩＰｐ１」、暗号鍵「ＫＥＹｐ１」を、コンピュータに計算させ、コンピュータＰＣ１の無線ＬＡＮ装置の通信用に、暗号鍵「ＫＥＹｐ１」を設定する。このときに、今まで使用していた暗号鍵「ＫＥＹ１」を、コンピュータのメモリに記憶する（Ｓ１２３）。
【００７０】
また、コンピュータＰＣ１は、プリンタＰｒ１の無線ＬＡＮ装置のＩＰアドレス「ＩＰｐ１」が分かっているので、プリンタＰｒ１と暗号鍵「ＫＥＹｐ１」を用いてアドホックモードで無線通信し、コンピュータのメモリに記憶されている暗号鍵「ＫＥＹ１」を、プリンタＰｒ１に伝送する（Ｓ１２４）。
【００７１】
暗号鍵「ＫＥＹ１」がプリンタＰｒ１で正常に伝送され、信号（Ａｃｋ）がプリンタＰｒ１から返信されると（Ｓ１２５）、コンピュータＰＣ１は、無線ＬＡＮ装置の暗号鍵を、プリンタＰｒ１の設定前の「ＫＥＹ１」に戻す（Ｓ１２６）。
【００７２】
また、プリンタＰｒ１は、コンピュータＰＣ１から伝送されてきた暗号鍵「ＫＥＹ１」を、無線ＬＡＮ用の暗号鍵に設定する（Ｓ１３５）。
【００７３】
そして、プリンタＰｒ１は、コンピュータＰＣ１がＤＨＣＰサーバ機能を有している場合には、コンピュータＰＣ１から、新しいＩＰアドレスを受け（Ｓ１２７）、このＩＰアドレスを自動設定する（Ｓ１３６）。コンピュータＰＣ１は、プリンタのＩＰアドレスを変更した後に、プリンタを再検出し（Ｓ１２８）、プリンタＰｒ１がコンピュータＰＣ１と接続される（Ｓ１３７）。
【００７４】
このようにすることにより、既に自家の無線ＬＡＮネットワークで利用されていた暗号鍵を、新規に設置されたプリンタＰｒ１にも設定することができる。
【００７５】
なお、暗号鍵の設定のために用いられたプリンタのＩＰアドレスを、そのまま用いるようにしてもよく、また、他のコンピュータから、新たなＩＰアドレスを割り当てるようにしてもよい。
【００７６】
自家のもう１台のコンピュータＰＣ２においては、前記暗号鍵、ＩＰアドレスを設定した後に、シリアル番号を入力しないで、プリンタＰｒ１のプリンタドライバをインストールする（Ｓ１１３）。プリンタＰｒ１のプリンタドライバは、シリアル番号を入力しなければ、無線ＬＡＮ装置の設定をしないように設定されている。ＰＣ２にプリンタドライバを入力すると、有線接続の場合と同様に、プリンタを自動検索するので（Ｓ１１４）、自動検索されたプリンタＰｒ１を設定すれば、プリンタＰｒ１と接続することができる（Ｓ１１５）。
【００７７】
ここで、コンピュータとプリンタとを接続する周波数チャネルは、それまで使われていた無線通信のチャネルである。ただし、プリンタの無線ＬＡＮシステムを設定するチャネルは、どのチャネルでもよく、もし、プリンタの無線ＬＡＮシステムを設定するチャネルと、それまでコンピュータが使用していたチャネルとが違う場合には、チャネル情報をも伝達し、プリンタ側の無線ＬＡＮ装置に設定させる。
【００７８】
また、プリンタの無線ＬＡＮシステムを設定するチャネルは、今までコンピュータが使用していたチャネル以外の空いているチャネルにし、なるべく他の通信と重ならないようにしてもよい。
【００７９】
なお、隣家のコンピュータＰＣ３は、ＩＰアドレス「０：０：０：１」に設定し（Ｓ１４２）、隣家のプリンタＰｒ２は、ＩＰアドレス「０：０：０：０」に設定し（Ｓ１５１）、アドホックモード（Ｓ１４１）で待機し、その後、互いに接続される（Ｓ１４３）。
【００８０】
実施例２では、コンピュータの周辺装置としてプリンタを想定しているが、ディジタルカメラやスキャナ等、他の周辺装置を、コンピュータの周辺装置として使用するようにしてもよい。
【００８１】
本発明によれば、プリンタのようにユーザインタフェースが悪いコンピュータの周辺装置においても、非常に簡単に、無線ＬＡＮ装置の通信設定が自動でなされ、しかも、マンション等の集合住宅や都会の住宅密集地やオフィス街において、隣家や近隣のオフィスで無線ＬＡＮを使用している場合でも、隣家や近隣のオフィスの無線ＬＡＮシステムに接続されることなく、安全に無線ＬＡＮで接続できるという効果を奏する。
【実施例３】
【００８２】
本実施例では、上述のパーソナルコンピュータなどの情報処理装置、上述のプリンタなどの周辺装置およびこれらの制御プログラムについて詳しく説明する。この例では、情報処理装置が周辺装置への無線接続を希望しているものとする。
【００８３】
図５は、実施例に係る情報処理装置の例示的なブロック図である。
【００８４】
図５において、制御部５０１は、ＣＰＵ、ＲＯＭおよびＲＡＭなどを含む制御ユニットである。記憶部５０２は、各種のデータ、プログラムなどを記憶する記憶ユニットであり、ＲＯＭ、ＲＡＭおよびハードディスクドライブなどの少なくとも１つを備えている。無線ＬＡＮ装置５０３は、無線ＬＡＮカードなどの無線通信回路であり、パーソナルコンピュータに内蔵されてもよいし、パーソナルコンピュータの外部に接続されてもよい。入力部５０４は、キーボードやマウスなどの入力装置である。
【００８５】
記憶部５０２には、無線ＬＡＮに接続する際に必要となるＩＤや暗号鍵などの設定情報である無線ＬＡＮ設定情報５０５と、周辺装置のインストールプログラム５０６と、オリジナルの無線ＬＡＮ設定情報の控え（バックアップデータ）である設定情報の控え５０７とが記憶されている。
【００８６】
図６は、実施例に係る周辺装置の例示的なブロック図である。
【００８７】
図６において、制御部６０１は、ＣＰＵ、ＲＯＭおよびＲＡＭなどを含む制御ユニットである。記憶部６０２は、各種のデータ、プログラムなどを記憶する記憶ユニットであり、ＲＯＭ、ＲＡＭおよびハードディスクドライブなどの少なくとも１つを備えている。無線ＬＡＮ装置６０３は、無線ＬＡＮカードなどの無線通信回路であり、周辺装置に内蔵されてもよいし、周辺装置の外部に接続されてもよい。
【００８８】
記憶部６０２には、無線ＬＡＮ設定情報６０４、制御プログラム６０５、固有情報６０６などが記憶されている。
【００８９】
図７は、実施例に係るインストールプログラムに関する例示的な動作を示すフローチャートである。
【００９０】
本フローチャートは、コンピュータＰＣ１やＰＣ２上で起動されると実行される。
【００９１】
ステップＳ７０１において、制御部５０１は、入力部５０４から入力される周辺装置の固有情報を受け付ける。
【００９２】
ステップＳ７０２において、制御部５０１は、アクセスポイントＡＰ１と接続する際に使用していたオリジナルの無線ＬＡＮ設定情報５０５を、設定情報の控え５０７として記憶部５０２にバックアップする。
【００９３】
ステップＳ７０３において、制御部５０１は、入力された周辺装置の固有情報に所定の生成アルゴリズムを適用して、暫定の無線ＬＡＮ設定情報を生成する。この生成アルゴリズムは、周辺装置の制御プログラム６０５にも搭載されている。
【００９４】
ステップＳ７０４において、制御部５０１は、生成した暫定の無線ＬＡＮ設定情報を無線ＬＡＮ装置５０３が使用できるように登録する。たとえば、記憶部５０２に記憶されている無線ＬＡＮ設定情報５０５を、生成した無線ＬＡＮ設定情報で上書きする。
【００９５】
なお、無線ＬＡＮ装置５０３がインフラストラクチャモードに設定されていた場合、制御部５０１は、アドホックモードに通信モードを変更する。
【００９６】
ステップＳ７０５において、制御部５０１は、暫定の無線ＬＡＮ設定情報を無線ＬＡＮ装置５０３に適用することで、周辺装置と無線通信回線を確立する。なお、周辺装置は後述のフローチャートに従って、固有情報に基づく同一の無線ＬＡＮ設定情報が設定されているものとする。
【００９７】
ステップＳ７０６において、制御部５０１は、記憶部５０２からオリジナルの無線ＬＡＮ設定情報の控え５０７を読み出し、無線ＬＡＮ設定情報の控え５０７を、無線ＬＡＮ装置５０３から周辺装置へ送信する。
【００９８】
ステップＳ７０７において、制御部５０１は、周辺装置への無線ＬＡＮ設定情報の設定（コピー）が成功したか否かを判定する。周辺装置から設定の成功を表すＡｃｋなどの情報が送信されてきた場合は、成功と判定する。もちろん、上述したように、制御部５０１は、Ａｃｋが到着してからタイマをスタートさせ、所定時間が過ぎるまでに再送要求を受信したか否かを判定し、再送要求を受信しなかった場合に、設定が成功したと判定してもよい。
【００９９】
ステップＳ７０８において、制御部５０１は、記憶部５０２からオリジナルの無線ＬＡＮ設定情報の控え５０７を読み出し、無線ＬＡＮ設定情報５０５に上書きする。これにより、オリジナルの無線ＬＡＮ設定情報が無線ＬＡＮ装置５０３に再登録されることになる。なお、オリジナルの無線ＬＡＮ設定情報が、インフラストラクチャモードで使用されていた場合、制御部５０１は、通信モードをインフラストラクチャモードに変更する。
【０１００】
ステップＳ７０９において、制御部５０１は、無線通信回線を介して周辺装置を検索する。通常は、検索用のパケットが、アクセスポイントＡＰ１を介して周辺装置にルーティングされる。周辺装置は、検索用のパケットを受信すると、当該周辺装置を特定することができる情報を搭載した応答パケットを送信する。これにより、パーソナルコンピュータは、ＬＡＮに周辺装置が存在することを認識することができる。
【０１０１】
ステップＳ７１０において、制御部５０１は、検索処理により見つかった周辺装置に対応するドライバをインストールする。
【０１０２】
図８は、実施例に係る周辺装置の無線ＬＡＮ設定処理に関する例示的な動作を示すフローチャートである。
【０１０３】
ステップＳ８０１において、制御部６０１は、無線ＬＡＮ設定のトリガーであるか否かを判定する。このトリガーは、上述したように、無線ＬＡＮ装置が周辺装置に接続されたとき、無線ＬＡＮ装置接続された周辺装置に初めて電源が投入されたとき、またはハードウエアまたはソフトウエアによるリセットキーが押し下げられたときなどである。あるいは、無線ＬＡＮ装置６０３が、ＰＣなどから送信される初期化コマンドを受信したことをトリガーとしてもよい。
【０１０４】
ステップＳ８０２において、制御部６０１は、記憶部６０２に記憶されている固有情報６０６を読み出し、生成アルゴリズムを適用して暫定の無線ＬＡＮ設定情報を生成する。
【０１０５】
ステップＳ８０３において、制御部６０１は、生成した暫定の無線ＬＡＮ設定情報を無線ＬＡＮ設定情報６０４として登録する。なお、周辺装置の製造時に、予め暫定の無線ＬＡＮ設定情報をＲＯＭなどの不揮発性の記憶コンポーネントに記憶しておいてもよい。この場合は、ステップＳ８０２の生成処理は不要であろう。
【０１０６】
ステップＳ８０４において、制御部６０１は、暫定の無線ＬＡＮ設定情報を無線ＬＡＮ装置６０３に適用し、ＰＣと無線通信回線を確立する。
【０１０７】
ステップＳ８０５において、制御部６０１は、無線ＬＡＮ装置６０３を制御し、ＰＣからオリジナルの無線ＬＡＮ設定情報を受信する。
【０１０８】
ステップＳ８０６において、制御部６０１は、無線ＬＡＮ装置６０３により受信された無線ＬＡＮ設定情報を登録する。すなわち、記憶部６０２の無線ＬＡＮ設定情報を、受信された無線ＬＡＮ設定情報により上書きする。その後、制御部６０１は、無線ＬＡＮ装置６０３に、受信された無線ＬＡＮ設定情報を適用して、無線通信回線を確立する。無線ＬＡＮ設定情報において、インフラストラクチャモードを適用すべきことが指示されているときは、制御部６０１は、無線ＬＡＮ設定装置６０３をインフラストラクチャモードに設定する。
【０１０９】
ステップＳ８０７において、制御部６０１は、ＰＣからの検索パケットに応答する。
【０１１０】
以上説明したように、本実施例に係る発明では、パーソナルコンピュータ等の情報処理装置から、周辺装置に対して無線ＬＡＮに関する設定情報を登録する際に、情報処理装置に設定されているのオリジナルの無線ＬＡＮ設定情報をバックアックした後に、周辺装置の固有情報を起源とする無線ＬＡＮ設定情報を情報処理装置と周辺装置の双方に設定することで、情報処理装置と周辺装置間で無線通信回線を確立し、当該無線通信回線を介して、オリジナルの無線ＬＡＮ設定情報を周辺装置にコピーする。その後、情報処理装置は、バックアップしておいたオリジナルの無線ＬＡＮ設定情報を回復する。
【０１１１】
このようにして、プアなユーザインタフェースを備える周辺装置にも、無線ＬＡＮに関する設定情報を容易に登録できるようになる。また、設定の際には、周辺装置の固有情報を起源とする暫定的な無線ＬＡＮ設定情報を使用することで、隣家や近隣のオフィスに設置されている無線ＬＡＮシステムに接続される可能性を低減できるようになる。そのため、安全に所望の周辺装置を所望の無線ＬＡＮシステムに接続できるようになる。
【図面の簡単な説明】
【０１１２】
【図１】本発明の実施例１である自家の無線ＬＡＮシステム１００、隣家の無線ＬＡＮシステム２００を示すブロック図である。
【図２】実施例１の動作を示すフローチャートである。
【図３】本発明の実施例２である自家の無線ＬＡＮシステム３００、隣家の無線ＬＡＮシステム４００を示すブロック図である。
【図４】実施例２の動作を示すフローチャートである。
【図５】実施例に係る情報処理装置の例示的なブロック図である。
【図６】実施例に係る周辺装置の例示的なブロック図である。
【図７】実施例に係るインストールプログラムに関する例示的なフローチャートである。
【図８】実施例に係る周辺装置の無線ＬＡＮ設定処理に関する例示的なフローチャートである。
【符号の説明】
【０１１３】
１００、３００…自家のＬＡＮシステム、
２００、４００…隣家のＬＡＮシステム、
ＰＣ１、ＰＣ２…自家のコンピュータ、
ＰＣ３…隣家のコンピュータ、
Ｐｒ１…自家のプリンタ、
Ｐｒ２…隣家のプリンタ、
ＡＰ１…自家のアクセスポイント。
【図１】
2005192202.tif 000003
【図２】
2005192202.tif 000004
【図３】
2005192202.tif 000005
【図４】
2005192202.tif 000006
【図５】
2005192202.tif 000007
【図６】
2005192202.tif 000008
【図７】
2005192202.tif 000009
【図８】
2005192202.tif 000010